(57)【特許請求の範囲】
【請求項１】
複数の原稿束のそれぞれについてのジョブのモードを連続して設定可能なモード設定手段と、
前記モード設定手段により設定された各原稿束についてのジョブのモード設定内容を保持する保持手段と、
モード設定対象の原稿束についてのジョブのモード設定項目を含むモード設定画面を表示可能な表示手段と、
前記モード設定対象の原稿束についてのジョブのモード設定に際し、前記保持手段に保持されているモード設定済みの複数の原稿束についてのジョブのモード設定内容を比較するとともに、比較結果に基づいて、モード設定内容の一部を強調した状態で前記モード設定画面を前記表示手段に表示させる制御手段と、
を備えたことを特徴とする画像処理装置。
【請求項２】
前記制御手段は、二つ前の原稿束についてのジョブのモード設定内容と一つ前の原稿束についてのジョブのモード設定内容を比較し、設定値が異なるモード設定項目を強調する請求項１に記載の画像処理装置。
【請求項３】
前記制御手段は、モード設定済みの複数の原稿束についてのジョブのモード設定内容を比較し、設定値が一度でも変更されたモード設定項目を強調する請求項１に記載の画像処理装置。
【請求項４】
前記制御手段は、モード設定済みの複数の原稿束についてのジョブのモード設定内容を比較し、設定値が一度も変更されていないモード設定項目を強調する請求項１に記載の画像処理装置。
【請求項５】
前記制御手段は、モード設定済みの複数の原稿束についてのジョブのモード設定内容を比較し、設定値が予め規定されている回数以上に変更されたモード設定項目を強調する請求項１に記載の画像処理装置。
【請求項６】
前記制御手段は、モード設定済みの複数の原稿束についてのジョブのモード設定内容を比較し、設定値が予め規定されている割合以上に変更されたモード設定項目を強調する請求項１に記載の画像処理装置。
【請求項７】
前記制御手段は、強調するモード設定項目のみを抽出して一覧表示させるとともに、他のモード設定項目は、前記強調されたモード設定項目とは別の画面に表示させる請求項１ないし６のいずれかに記載の画像処理装置。
【請求項８】
前記制御手段は、前記モード設定項目をアコーディオン表示方式で表示させる請求項１ないし７のいずれかに記載の画像処理装置。
【請求項９】
前記制御手段は、強調されるモード設定項目についてはアコーディオンを開いた状態で表示させる請求項８に記載の画像処理装置。
【請求項１０】
複数の原稿束のそれぞれについてのジョブのモードを連続して設定可能なモード設定ステップと、
前記モード設定ステツプにおいて設定された各原稿束についてのジョブのモード設定内容を保持手段に保持する保持ステップと、
モード設定対象の原稿束についてのジョブのモード設定に際し、前記保持ステップにおいて保持されているモード設定済みの複数の原稿束についてのジョブのモード設定内容を比較するとともに、比較結果に基づいて、モード設定内容の一部を強調した状態で、モード設定対象の原稿束についてのジョブのモード設定項目を含むモード設定画面を表示手段に表示させる制御ステップと、
を備えたことを特徴とするモード設定画面の表示制御方法。
【請求項１１】
複数の原稿束のそれぞれについてのジョブのモードを連続して設定可能なモード設定ステップと、
前記モード設定ステップにおいて設定された各原稿束についてのジョブのモード設定内容を保持手段に保持する保持ステップと、
モード設定対象の原稿束についてのジョブのモード設定に際し、前記保持ステップにおいて保持されているモード設定済みの複数の原稿束についてのジョブのモード設定内容を比較するとともに、比較結果に基づいて、モード設定内容の一部を強調した状態で、モード設定対象の原稿束についてのジョブのモード設定項目を含むモード設定画面を表示手段に表示させる制御ステップと、
を画像処理装置のコンピュータに実行させるためのモード設定画面の表示制御プログラム。
【請求項１２】
複数の原稿束のそれぞれについてのジョブのモードを連続して設定可能なモード設定手段と、
前記モード設定手段により設定された各原稿束についてのジョブのモード設定内容を保持する保持手段と、
モード設定対象の原稿束についてのジョブのモード設定項目を含むモード設定画面を表示可能な表示手段と、
前記保持手段に保持されている複数の原稿束についてのジョブのモード設定内容を比較するとともに、比較結果に基づいて、モード設定内容の一部を強調した状態で前記モード設定画面を前記表示手段に表示させる制御手段と、
を備え、
前記制御手段は、モード設定済みの複数の原稿束についてのジョブのモード設定内容を比較し、設定値が一度でも変更されたモード設定項目を強調することを特徴とする画像処理装置。
【請求項１３】
複数の原稿束のそれぞれについてのジョブのモードを連続して設定可能なモード設定手段と、
前記モード設定手段により設定された各原稿束についてのジョブのモード設定内容を保持する保持手段と、
モード設定対象の原稿束についてのジョブのモード設定項目を含むモード設定画面を表示可能な表示手段と、
前記保持手段に保持されている複数の原稿束についてのジョブのモード設定内容を比較するとともに、比較結果に基づいて、モード設定内容の一部を強調した状態で前記モード設定画面を前記表示手段に表示させる制御手段と、
を備え、
前記制御手段は、モード設定済みの複数の原稿束についてのジョブのモード設定内容を比較し、設定値が一度も変更されていないモード設定項目を強調することを特徴とする画像処理装置。
【請求項１４】
複数の原稿束のそれぞれについてのジョブのモードを連続して設定可能なモード設定手段と、
前記モード設定手段により設定された各原稿束についてのジョブのモード設定内容を保持する保持手段と、
モード設定対象の原稿束についてのジョブのモード設定項目を含むモード設定画面を表示可能な表示手段と、
前記保持手段に保持されている複数の原稿束についてのジョブのモード設定内容を比較するとともに、比較結果に基づいて、モード設定内容の一部を強調した状態で前記モード設定画面を前記表示手段に表示させる制御手段と、
を備え、
前記制御手段は、モード設定済みの複数の原稿束についてのジョブのモード設定内容を比較し、設定値が予め規定されている回数以上に変更されたモード設定項目を強調することを特徴とする画像処理装置。
【請求項１５】
複数の原稿束のそれぞれについてのジョブのモードを連続して設定可能なモード設定手段と、
前記モード設定手段により設定された各原稿束についてのジョブのモード設定内容を保持する保持手段と、
モード設定対象の原稿束についてのジョブのモード設定項目を含むモード設定画面を表示可能な表示手段と、
前記保持手段に保持されている複数の原稿束についてのジョブのモード設定内容を比較するとともに、比較結果に基づいて、モード設定内容の一部を強調した状態で前記モード設定画面を前記表示手段に表示させる制御手段と、
を備え、
前記制御手段は、モード設定済みの複数の原稿束についてのジョブのモード設定内容を比較し、設定値が予め規定されている割合以上に変更されたモード設定項目を強調することを特徴とする画像処理装置。
【請求項１６】
複数の原稿束のそれぞれについてのジョブのモードを連続して設定可能なモード設定手段と、
前記モード設定手段により設定された各原稿束についてのジョブのモード設定内容を保持する保持手段と、
モード設定対象の原稿束についてのジョブのモード設定項目を含むモード設定画面を表示可能な表示手段と、
前記保持手段に保持されている複数の原稿束についてのジョブのモード設定内容を比較するとともに、比較結果に基づいて、モード設定内容の一部を強調した状態で前記モード設定画面を前記表示手段に表示させる制御手段と、
を備え、
前記制御手段は、前記モード設定項目をアコーディオン表示方式で表示させるとともに、強調されるモード設定項目についてはアコーディオンを開いた状態で表示させることを特徴とする画像処理装置。
【発明の詳細な説明】
【技術分野】
【０００１】
この発明は、複数の原稿束のそれぞれについてのジョブのモードを連続して設定可能な画像処理装置、該像処理装置で実行されるモード設定画面の表示制御方法及び表示制御プログラムに関する。
【背景技術】
【０００２】
コピー機能、プリンタ機能、ファクシミリ機能等を集約した多機能デジタル画像形成装置であるＭＦＰ（Multi Function Peripherals)等の画像処理装置として、複数の原稿束のそれぞれについてのジョブのモードを連続して設定可能なプログラムジョブ機能を備えたものが知られている。この機能を使用すると、ユーザは、例えば複数の原稿束があった場合に、一つ目の原稿束では、「両面プリント＋写真モード」、二つ目の原稿束では、「片面プリント＋文字プリント」等にように、原稿束毎のジョブについて異なるモードの設定が連続して可能となる。
【０００３】
このようなプログラムジョブ機能を使用して複数の原稿束のそれぞれについてのモード設定を連続的に行う場合、次の原稿束についてのモード設定に際して、既に設定済みの原稿束についてのモード設定の内容を確認したい場合がある。
【０００４】
しかし、現状では、現在設定している原稿束についてのモード設定および１つ前のモード設定の内容しか確認できない。その結果、ユーザが原稿束毎にモード設定の内容を変更したい場合には、適切なモード設定を行うために、各原稿束についてのモード設定内容を覚えておく必要があるというような問題があった。
【０００５】
また、いくつかのモードを順番に繰り返している場合等においても、何個前かの原稿束で設定したモードを確認したくてもそれができないため使い勝手が良くないという問題もあった。
【０００６】
これらの問題を解決するために、例えば現在行っているモードの設定内容と既にモード設定済みのモード設定内容を一覧で表示することが、一応は考えられる。また、前記一覧表示の際に合わせてモード設定もできるようにすることにより、モード設定の操作性を改善することも可能となる。
【０００７】
また、モード設定項目をアコーディオン方式で一覧表示するとともに、所望のモード設定項目を開いて表示できるようにした技術が提案されている（例えば特許文献１参照）。
【先行技術文献】
【特許文献】
【０００８】
【特許文献１】特開２００６−２７６９１０号公報
【発明の概要】
【発明が解決しようとする課題】
【０００９】
しかし、現在行っているモードの設定内容と既に設定済みのモード設定内容を一覧で表示する方法では、通常の操作パネルの表示部の表示可能領域には限界があるため、表示内容を大きくするためには表示画面の切り替え等を実施する必要があるが、表示画面の切り替え等の実施は一覧性を低下させるため、操作性の改善は期待できない。
【００１０】
また、前記特許文献１に記載の技術では、アコーディオン方式で設定内容を開くことができるだけで、過去のモード設定内容の差異等を確認できるものではない。
【００１１】
この発明は、上記実情に鑑みてなされたものであり、複数の原稿束のそれぞれについてのジョブのモードを連続して設定可能なプログラムジョブ機能を使用する際に、現在設定しようとしている原稿束のモードに対して、既に設定済みのモードの状態を容易に認識でき、現在設定しようとしているモードの設定操作を容易にした画像処理装置を提供し、さらにはこの画像処理装置で実行されるモード設定画面の表示制御方法及びこの表示制御方法を画像処理装置のコンピュータに実行させるための表示制御プログラムの提供を課題とする。
【課題を解決するための手段】
【００１２】
上記課題は、以下の手段によって解決される。
（１）複数の原稿束のそれぞれについてのジョブのモードを連続して設定可能なモード設定手段と、前記モード設定手段により設定された各原稿束についてのジョブのモード設定内容を保持する保持手段と、モード設定対象の原稿束についてのジョブのモード設定項目を含むモード設定画面を表示可能な表示手段と、前記モード設定対象の原稿束についてのジョブのモード設定に際し、前記保持手段に保持されているモード設定済みの複数の原稿束についてのジョブのモード設定内容を比較するとともに、比較結果に基づいて、モード設定内容の一部を強調した状態で前記モード設定画面を前記表示手段に表示させる制御手段と、を備えたことを特徴とする画像処理装置。
（２）前記制御手段は、二つ前の原稿束についてのジョブのモード設定内容と一つ前の原稿束についてのジョブのモード設定内容を比較し、設定値が異なるモード設定項目を強調する前項１に記載の画像処理装置。
（３）前記制御手段は、モード設定済みの複数の原稿束についてのジョブのモード設定内容を比較し、設定値が一度でも変更されたモード設定項目を強調する前項１に記載の画像処理装置。
（４）前記制御手段は、モード設定済みの複数の原稿束についてのジョブのモード設定内容を比較し、設定値が一度も変更されていないモード設定項目を強調する前項１に記載の画像処理装置。
（５）前記制御手段は、モード設定済みの複数の原稿束についてのジョブのモード設定内容を比較し、設定値が予め規定されている回数以上に変更されたモード設定項目を強調する前項１に記載の画像処理装置。
（６）前記制御手段は、モード設定済みの複数の原稿束についてのジョブのモード設定内容を比較し、設定値が予め規定されている割合以上に変更されたモード設定項目を強調する前項１に記載の画像処理装置。
（７）前記制御手段は、強調するモード設定項目のみを抽出して一覧表示させるとともに、他のモード設定項目は、前記強調されたモード設定項目とは別の画面に表示させる前項１ないし６のいずれかに記載の画像処理装置。
（８）前記制御手段は、前記モード設定項目をアコーディオン表示方式で表示させる前項１ないし７のいずれかに記載の画像処理装置。
（９）前記制御手段は、強調されるモード設定項目についてはアコーディオンを開いた状態で表示させる前項８に記載の画像処理装置。
（１０）複数の原稿束のそれぞれについてのジョブのモードを連続して設定可能なモード設定ステップと、前記モード設定ステツプにおいて設定された各原稿束についてのジョブのモード設定内容を保持手段に保持する保持ステップと、モード設定対象の原稿束についてのジョブのモード設定に際し、前記保持ステップにおいて保持されているモード設定済みの複数の原稿束についてのジョブのモード設定内容を比較するとともに、比較結果に基づいて、モード設定内容の一部を強調した状態で、モード設定対象の原稿束についてのジョブのモード設定項目を含むモード設定画面を表示手段に表示させる制御ステップと、を備えたことを特徴とするモード設定画面の表示制御方法。
（１１）複数の原稿束のそれぞれについてのジョブのモードを連続して設定可能なモード設定ステップと、前記モード設定ステップにおいて設定された各原稿束についてのジョブのモード設定内容を保持手段に保持する保持ステップと、モード設定対象の原稿束についてのジョブのモード設定に際し、前記保持ステップにおいて保持されているモード設定済みの複数の原稿束についてのジョブのモード設定内容を比較するとともに、比較結果に基づいて、モード設定内容の一部を強調した状態で、モード設定対象の原稿束についてのジョブのモード設定項目を含むモード設定画面を表示手段に表示させる制御ステップと、を画像処理装置のコンピュータに実行させるためのモード設定画面の表示制御プログラム。
（１２）複数の原稿束のそれぞれについてのジョブのモードを連続して設定可能なモード設定手段と、前記モード設定手段により設定された各原稿束についてのジョブのモード設定内容を保持する保持手段と、モード設定対象の原稿束についてのジョブのモード設定項目を含むモード設定画面を表示可能な表示手段と、前記保持手段に保持されている複数の原稿束についてのジョブのモード設定内容を比較するとともに、比較結果に基づいて、モード設定内容の一部を強調した状態で前記モード設定画面を前記表示手段に表示させる制御手段と、を備え、前記制御手段は、モード設定済みの複数の原稿束についてのジョブのモード設定内容を比較し、設定値が一度でも変更されたモード設定項目を強調することを特徴とする画像処理装置。
（１３）複数の原稿束のそれぞれについてのジョブのモードを連続して設定可能なモード設定手段と、前記モード設定手段により設定された各原稿束についてのジョブのモード設定内容を保持する保持手段と、モード設定対象の原稿束についてのジョブのモード設定項目を含むモード設定画面を表示可能な表示手段と、前記保持手段に保持されている複数の原稿束についてのジョブのモード設定内容を比較するとともに、比較結果に基づいて、モード設定内容の一部を強調した状態で前記モード設定画面を前記表示手段に表示させる制御手段と、を備え、前記制御手段は、モード設定済みの複数の原稿束についてのジョブのモード設定内容を比較し、設定値が一度も変更されていないモード設定項目を強調することを特徴とする画像処理装置。
（１４）複数の原稿束のそれぞれについてのジョブのモードを連続して設定可能なモード設定手段と、前記モード設定手段により設定された各原稿束についてのジョブのモード設定内容を保持する保持手段と、モード設定対象の原稿束についてのジョブのモード設定項目を含むモード設定画面を表示可能な表示手段と、前記保持手段に保持されている複数の原稿束についてのジョブのモード設定内容を比較するとともに、比較結果に基づいて、モード設定内容の一部を強調した状態で前記モード設定画面を前記表示手段に表示させる制御手段と、を備え、前記制御手段は、モード設定済みの複数の原稿束についてのジョブのモード設定内容を比較し、設定値が予め規定されている回数以上に変更されたモード設定項目を強調することを特徴とする画像処理装置。
（１５）複数の原稿束のそれぞれについてのジョブのモードを連続して設定可能なモード設定手段と、前記モード設定手段により設定された各原稿束についてのジョブのモード設定内容を保持する保持手段と、モード設定対象の原稿束についてのジョブのモード設定項目を含むモード設定画面を表示可能な表示手段と、前記保持手段に保持されている複数の原稿束についてのジョブのモード設定内容を比較するとともに、比較結果に基づいて、モード設定内容の一部を強調した状態で前記モード設定画面を前記表示手段に表示させる制御手段と、を備え、前記制御手段は、モード設定済みの複数の原稿束についてのジョブのモード設定内容を比較し、設定値が予め規定されている割合以上に変更されたモード設定項目を強調することを特徴とする画像処理装置。
（１６）複数の原稿束のそれぞれについてのジョブのモードを連続して設定可能なモード設定手段と、前記モード設定手段により設定された各原稿束についてのジョブのモード設定内容を保持する保持手段と、モード設定対象の原稿束についてのジョブのモード設定項目を含むモード設定画面を表示可能な表示手段と、前記保持手段に保持されている複数の原稿束についてのジョブのモード設定内容を比較するとともに、比較結果に基づいて、モード設定内容の一部を強調した状態で前記モード設定画面を前記表示手段に表示させる制御手段と、を備え、前記制御手段は、前記モード設定項目をアコーディオン表示方式で表示させるとともに、強調されるモード設定項目についてはアコーディオンを開いた状態で表示させることを特徴とする画像処理装置。
【発明の効果】
【００１３】
前項（１）に記載の発明によれば、設定された各原稿束についてのジョブのモード設定内容が保持手段に保持されるとともに、モード設定対象の原稿束についてのジョブのモード設定に際し、保持されているモード設定済みの複数の原稿束についてのジョブのモード設定内容が比較され、比較結果に基づいて、モード設定内容の一部を強調した状態でモード設定画面が表示手段に表示される。つまり、ユーザは強調された部分の表示により、既に設定済みのモードの状態を認識することができ、現在設定しようとしているモードの設定操作の補助になり、設定操作が容易になる。
【００１４】
前項（２）に記載の発明によれば、二つ前の原稿束についてのジョブのモード設定内容と一つ前の原稿束についてのジョブのモード設定内容が比較され、設定値が異なっているモード設定項目が強調して表示されるから、ユーザは二つ前のモード設定内容と一つ前のモード設定内容とで、設定値が異なっていることを認識することができる。
【００１５】
前項（３）及び（１２）に記載の発明によれば、モード設定済みの複数の原稿束についてのジョブのモード設定内容内容が比較され、設定値が一度でも変更されたモード設定項目が強調して表示されるから、ユーザは既に設定済みのモードにおいて、そのモード設定項目については少なくとも一度は設定値が変更されていることを認識することができる。
【００１６】
前項（４）及び（１３）に記載の発明によれば、モード設定済みの複数の原稿束についてのジョブのモード設定内容内容が比較され、設定値が一度も変更されていないモード設定項目が強調して表示されるから、ユーザは既に設定済みのモードにおいて、そのモード設定項目については設定値が変更されていないことを認識することができる。
【００１７】
前項（５）及び（１４）に記載の発明によれば、モード設定済みの複数の原稿束についてのジョブのモード設定内容が比較され、設定値が予め規定されている回数以上に変更されたモード設定項目が強調して表示されるから、ユーザは既に設定済みのモードにおいて、そのモード設定項目については設定値が予め規定されている回数以上に変更されていることを認識することができる。
【００１８】
前項（６）及び（１５）に記載の発明によれば、モード設定済みの複数の原稿束についてのジョブのモード設定内容が比較され、予め規定されている割合以上の変更がなされたモード設定項目が強調して表示されるから、ユーザは既に設定済みのモードにおいて、そのモード設定項目については設定値が予め規定されている割合以上に変更されていることを認識することができる。
【００１９】
前項（７）に記載の発明によれば、強調されるモード設定項目のみが抽出され、他のモード設定項目は別画面に表示されるので、ユーザは変更等がなされたモード設定項目のみを一目で認識でき、現在のモード設定を容易に行うことができる。
【００２０】
前項（８）に記載の発明によれば、モード設定項目がアコーディオン表示方式で表示されるので、変更等がなされたモード設定項目の認識が容易になり、かつ画面遷移を伴わずにモード設定が可能となる。
【００２１】
前項（９）及び（１６）に記載の発明によれば、強調されるモード設定項目についてはアコーディオンを開いた状態で表示されるので、変更等がなされたモード設定項目の認識が容易になる上、アコーディオンを開く手間も要らずにモード設定をスムーズに行うことができる。
【００２２】
前項（１０）に記載の発明によれば、設定された各原稿束についてのジョブのモード設定内容が保持手段に保持されるとともに、モード設定対象の原稿束についてのジョブのモード設定に際し、保持されているモード設定済みの複数の原稿束のジョブについてのモード設定内容が比較され、比較結果に基づいて、モード設定内容の一部を強調した状態でモード設定画面が表示手段に表示されるから、ユーザは強調された部分の表示により、既に設定済みのモードの状態を認識することができ、現在設定しようとしているモードの設定操作の補助になり、設定操作が容易になる。
【００２３】
前項（１１）に記載の発明によれば、設定された各原稿束についてのジョブのモード設定内容を保持手段に保持し、モード設定対象の原稿束についてのジョブのモード設定に際し、保持されているモード設定済みの複数の原稿束のジョブについてのモード設定内容を比較し、比較結果に基づいて、モード設定内容の一部を強調した状態でモード設定画面を表示手段に表示する処理を、画像処理装置のコンピュータに実行させることができる。
【図面の簡単な説明】
【００２４】
【図１】この発明の一実施形態に係る画像処理装置としてのＭＦＰを示す外観図である。
【図２】同じくＭＦＰの電気的構成を示すブロック図である。
【図３】プログラムジョブ機能の実行時のモード設定画面表示処理の一例を示すフローチャートである。
【図４】図３の表示処理によって表示されるモード設定画面の表示プロセスを説明するための図である。
【図５】プログラムジョブ機能の実行時のモード設定画面表示処理の他の例を示すフローチャートである。
【図６】図５の表示処理によって表示されるモード設定画面の表示プロセスを説明するための図である。
【図７】プログラムジョブ機能の実行時のモード設定画面表示処理のさらに他の例を示すフローチャートである。
【図８】プログラムジョブ機能の実行時のモード設定画面表示処理のさらに他の例を示すフローチャートである。
【図９】プログラムジョブ機能の実行時のモード設定画面表示処理のさらに他の例を示すフローチャートである。
【図１０】モード設定画面の他の表示例を説明するための図である。
【図１１】モード設定画面のさらに他の表示例を説明するための図である。
【図１２】モード設定画面のさらに他の表示例を説明するための図である。
【発明を実施するための形態】
【００２５】
以下、この発明の実施形態を図面に基づいて説明する。
【００２６】
図１は、この発明の一実施形態に係る画像処理の外観図である。この実施形態では、画像処理装置として前述した多機能デジタル画像形成装置であるＭＦＰが用いられている。
【００２７】
図１において、このＭＦＰ１０１は、原稿台１０２、操作パネル部４、用紙を給紙可能に保持する給紙部１０４、プリントされた用紙を排出する排紙部１０３等を有している。また、操作パネル部４は後述するように、キー部４１と表示部４２を備えている。
【００２８】
なお、このＭＦＰ１０１は、図示しないＬＡＮ（Local Area Network）やＷＡＮ（Wide Area Network）等のネットワークを介してサーバ（図示せず）等に接続されている。
【００２９】
図２は、同じくＭＦＰ１０１の電気的構成を示すブロック図である。
【００３０】
図２おいて、このＭＦＰ１０１は、画像入力部１と、画像出力部２と、画像メモリ部３と、操作パネル部４と、圧縮／復号部５と、メーラ部６と、制御部７と、ＲＯＭ８と、ワークメモリ９と、通信部１０と、モード保持部１１と、ジョブ設定表示部１２と、表示モード設定選択部１３と、ファイル変換部１４とを備えており、これら各部１〜１４は、それぞれバス１５に接続されている。
【００３１】
前記画像入力部１は、例えば、ＣＣＤ等のイメージセンサ、スライダ制御部、各種画像処理部等から構成されており、任意の画像（例えば、原稿台１０２上の原稿画像）を光学的に読み取って電気信号を出力するスキャナ部である。
【００３２】
前記画像出力部２は、レーザ方式やインクジェット方式等により印刷を行う印刷エンジン部や各種画像処理部等により構成されており、画像データを給紙部１０４から搬送された用紙に印字するプリント部である。
【００３３】
前記画像メモリ部３は、画像入力部１により入力された画像データや、通信部１０を介して受信した外部機器からの画像データを格納する他に、圧縮／復号部５により圧縮処理された後の符号データを格納するものである。
【００３４】
前記操作パネル部４は、例えばテンキーやスタートキー等のキー部４１と、液晶タッチパネル等から構成されたユーザインターフェイスとしての表示部４２とを備えている。
【００３５】
前記圧縮／復号部５は、入力された画像データを必要に応じて圧縮もしくは復号化（符号データを伸張する）ものである。
【００３６】
前記メーラ部６は、電子メール送受信用アプリケーションにより、電子メールの送受信を行うものである。
【００３７】
前記制御部７は、ＭＦＰ１０１の全体の動作を制御するものであり、ＣＰＵおよび周辺回路からなる。特にこの実施形態では、制御部７は、プログラムジョブ機能により、複数の原稿束のそれぞれについてのジョブのモードを、ユーザ操作に基づいて連続して設定する等の動作を行うが、詳細は後述する。
【００３８】
前記ＲＯＭ８は、制御部７のＣＰＵの動作プログラムや制御データが格納されたメモリである。
【００３９】
前記ワークメモリ９は、制御変数等の一次記憶用として使用されるメモリであり、制御部７のＣＰＵが動作制御する際の作業領域を提供する。なお、ワークメモリ９と画像メモリ３とは、実際には同一の揮発性メモリが使用されている。
【００４０】
前記通信部１０は、モデム、ＮＣＵ、電話回線を用いた通信手段によりＦＡＸ送受信を行ったり、ＬＡＮ（ＷＡＮ）制御部を介してネットワーク上の機器との間で画像情報等の送受信を行うインターフェース機能を有している。
【００４１】
前記モード保持部１１は、ハードディスク装置等の記憶媒体からなり、複数の原稿束のそれぞれについてのジョブのモードを連続して設定可能なプログラムジョブ機能の使用時に、各原稿束に設定されたモード設定内容を記憶・保持したり、その他のデータを記憶するものである。
【００４２】
前記ジョブ設定表示部１２は、プログラムジョブ機能によるモード設定時にそれぞれの原稿束毎に設定したモード（モード設定）を一覧表示するものである。このジョブ設定表示部１２は、前記操作パネル部４の表示部４２で構成されている。
【００４３】
前記表示モード設定選択部１３は、モード保持部１１に保持されている複数の原稿束についてのジョブのモード設定内容を比較するとともに、比較結果に基づいて、どのモード設定項目を強調して表示させるかを決定し、決定された表示状態でモード設定画面等を表示させるものである。この表示モード設定選択部１３は、この実施形態では、前記制御部７のＣＰＵの機能により構成されている。
【００４４】
前記ファイル変換部１４は、画像データのファイル形式なしいは電子メールファイル形式等の種々のファイル変換を行うものである。
【００４５】
図３は、ＭＦＰ１０１によるプログラムジョブ機能の使用時に、モード設定対象の原稿束のジョブ、換言すればこれから設定しようとする原稿束についてのジョブのモードを設定するためのモード設定画面の表示処理を示すフローチャートである。なお、図３以降のフローチャートに示す処理は、制御部７のＣＰＵがＲＯＭ８等に記録された動作プログラムに従って動作することにより実行される。
【００４６】
図３に示した実施形態では、複数の原稿束のそれぞれについてのジョブのうち、一つ前の原稿束についてのジョブのモード設定内容と、二つ前の原稿束についてのジョブのモード設定内容を取得し比較して設定値の差異を抽出し、複数のモード設定項目のうち、設定値に差異のあるモード設定項目のみを強調して表示するものとなされている。
【００４７】
図３において、ステツプＳ１では一つ前のジョブのモード設定の一覧（内容）と二つ前のジョブのモード設定の一覧（内容）を取得する。
【００４８】
ステップＳ２では、取得した一つ前のジョブのモード設定の一覧と、二つ前のジョブのモード設定の一覧とで設定値に差異があるモード設定項目があるか否かを判断し、なければ（ステップＳ２でＮＯ）、ステップＳ３に進み、いずれのモード設定項目も強調表示することなく、一つ前あるいは二つ前のジョブのモード設定内容と同じモード設定画面を操作パネル４の表示部４２に表示する。
【００４９】
取得した一つ前のジョブのモード設定の一覧と、二つ前のジョブのモード設定の一覧とで設定値に差異があるモード設定項目があれば（ステップＳ３でＹＥＳ）、ステップＳ４で、設定値に差異のあるモード設定項目については、表示を強調した状態で、操作パネル４の表示部４２にモード設定画面を表示する。強調表示の態様は特に限定されることはなく、ユーザが設定値に差異があることを認識できる態様で表示すれば良いが、例えばモード設定項目や設定値を肉太表示としたり、色を変えたりする態様を挙げることができる。
【００５０】
図３についての具体例を図４で説明する。
【００５１】
図４（Ａ）〜図４（Ｃ）には、二つ前のジョブのモード設定の一覧２０１と、一つ前のジョブのモード設定の一覧２０２と、現在設定しようとしているジョブのモード設定画面２０３が、それぞれ示されている。
【００５２】
図４（Ａ）に示す二つ前のジョブのモード設定の一覧２０１と、図４（Ｂ）に示す一つ前のジョブのモード設定の一覧２０２とを比較すると、二つ前のモード設定の一覧２０１においては、モード設定項目である「カラー」２０１１と「原稿画質」２０１２の設定値がそれぞれ「ブラック」と「写真」であり、一つ前のモード設定の一覧２０２では、モード設定項目である「カラー」２０２１と「原稿画質」２０２２の設定値がそれぞれ「フルカラー」と「文字」であり、これらが異なっている。
【００５３】
そこで、図４（Ｃ）に示すように、現在のモード設定画面２０３では、前記差異があるモード設定項目「カラー」２０３１における設定値「フルカラー」と、モード設定項目「原稿画質」２０３２における設定値「文字」については、強調して表示（例えば肉太表示）するものとなされている。
【００５４】
このような強調表示により、ユーザはモード設定項目のうち設定値が変更されているモード設定項目を容易に認識することができる。
【００５５】
なお現在のモード表示画面２０３に表示される設定値は、図４（Ｃ）に示すように、一つ前のジョブの設定値であっても良いし、二つ前のジョブの設定値であっても良く、要は差異のあるモード設定項目が強調表示されていればよい。また、設定値の変更は、例えば各モード設定項目あるいは設定値のボタンを押下して選択可能な複数の設定値を表示させ、その中から所望の設定値を選択してモード設定画面に反映させる等の方法により行えばよい。
【００５６】
図３及び図４の実施形態では、二つ前のジョブのモード設定の一覧２０１と一つ前のジョブのモード設定の一覧２０２とで、設定値が変更されているモード設定項目を強調表示したが、プログラムジョブ機能により既に設定した原稿束についてのジョブのモード設定において、設定値が一度でも変更されたモード設定項目を抽出し、この抽出されたモード設定項目のみを強調して表示しても良い。
【００５７】
図５は、このような設定値が一度でも変更されたモード設定項目を強調して、モード設定画面を表示する場合の表示処理を示すフローチャートである。
【００５８】
図５において、ステツプＳ１１では、プログラムジョブ機能の使用開始後におけるモード設定済みの全てのジョブについて、各モード設定の一覧を取得する。
【００５９】
ステップＳ１２では、取得した全てのモード設定の一覧を比較し、設定値が一度でも変更されているモード設定項目があるかどうかを判断する。設定値が一度でも変更されているモード設定項目がなければ（ステップＳ１２でＮＯ）、ステップＳ１３に進み、いずれのモード設定項目も強調表示することなく、モード設定済みのジョブの設定値と同じ設定値が表示されたモード設定画面を、操作パネル４の表示部４２に表示する。
【００６０】
設定値が一度でも変更されているモード設定項目があれば（ステップＳ１２でＹＥＳ）、ステップＳ１４で、その変更実績のあるモード設定項目について、モード設定項目を強調した状態で操作パネル４の表示部４２にモード設定画面を表示する。
【００６１】
図６に具体例を示す。図６（Ａ）は、一つ目の原稿束についてのジョブのモード設定一覧５０１を示し、モード設定項目である「カラー」５０１１、「濃度」５０１２、「原稿画質」５０１３、「集約」５０１４の各設定値が、それぞれ「ブラック」、「標準」、「写真」、「しない」に設定されている。
【００６２】
図６（Ｂ）は、二つ目の原稿束についてのジョブのモード設定一覧５０２を示し、モード設定項目である「カラー」５０２１の設定値が「フルカラー」に変更され、「原稿画質」５０２３の設定値が「文字」に変更されている。
【００６３】
図６（Ｃ）は、三つ目の原稿束についてのジョブのモード設定一覧５０３を示し、モード設定項目である「集約」５０２４の設定値が「２ｉｎ」に変更されている。
【００６４】
図６（Ｄ）は、四つ目の原稿束についてのジョブのモード設定一覧５０４を示し、設定値が変更されたモード設定項目はない。
【００６５】
この状態で、これからモード設定しようとする五つ目の原稿束についてのモード設定画面には、モード設定一覧５０２，５０３，５０４で設定値が変更されたモード設定項目（「カラー」、「原稿画質」、「集約」）を強調表示する。つまり、図６（Ｅ）に示す五つ目の原稿束についてのモード設定画面５０５では、モード設定項目「カラー」５０５１、「原稿画質」５０５３、「集約」５０５４及びそれらの設定値が強調表示（例えば肉太表示）される。
【００６６】
このように、複数のモード設定項目のうち、設定値が一度でも変更されたモード設定項目のみを強調してモード設定画面を表示することで、ユーザは強調表示されたモード設定項目については、少なくとも一度は設定値が変更されていることを容易に認識することができる。
【００６７】
図５及び図６に示した実施形態では、プログラムジョブ機能の使用開始後におけるモード設定済みの全てのジョブにおいて、設定値が一度でも変更されたモード設定項目を抽出し、この抽出されたモード設定項目のみを強調してモード設定画面を表示したが、プログラムジョブ機能の使用開始後におけるモード設定済みの全てのジョブにおいて、設定値が一度も変更されていないモード設定項目のみを強調してもよい。
【００６８】
この場合のモード設定画面の表示処理を図７のフローチャートに示す。
【００６９】
ステツプＳ２１では、プログラムジョブ開始後のモード設定済みの複数の原稿束についてのジョブのモード設定の一覧を取得する。
【００７０】
ステップＳ２２では、取得した全てのモード設定の一覧を比較し、設定値が一度も変更されていないモード設定項目があるかどうかを判断する。一度も変更されていないモード設定項目がなければ（ステップＳ２２でＮＯ）、ステップＳ２３に進み、いずれのモード設定項目も強調表示することなく、モード設定済みのジョブのモード設定内容と同じモード設定画面を操作パネル４の表示部４２に表示する。
【００７１】
設定値が一度も変更されていないモード設定項目があれば（ステップＳ２２でＹＥＳ）、ステップＳ２４で、その変更実績のないモード設定項目について、設定値を強調して操作パネル４の表示部４２にモード設定画面を表示する。
【００７２】
このように、設定値が一度も変更されていないモード設定項目のみを強調してモード設定画面を表示することで、ユーザは強調表示されたモード設定項目については、一度も設定値が変更されていないことを容易に認識することができる。
【００７３】
図８は、さらに他の実施形態を示すもので、プログラムジョブ機能の使用開始後におけるモード設定済みの全てのジョブにおいて、設定値が予め規定されている回数以上に変更されたモード設定項目を強調してモード設定画面を表示する場合の表示処理を示すフローチャートである。
【００７４】
ステツプＳ３１では、プログラムジョブ開始後のモード設定済みの複数の原稿束についてのジョブのモード設定の一覧を取得する。
【００７５】
ステップＳ３２では、取得した全てのモード設定の一覧を比較し、設定値が予め設定されている回数以上に変更されているモード設定項目があるかどうかを判断する。なければ（ステップＳ３２でＮＯ）、ステップＳ３３に進み、いずれのモード設定項目も強調表示することなく、例えば直前のジョブと同じ設定値を有するモード設定画面を操作パネル４の表示部４２に表示する。
【００７６】
設定値が予め設定されている回数以上に変更されているモード設定項目があれば（ステップＳ３２でＹＥＳ）、ステップＳ３４で、その変更実績のあるモード設定項目について、設定値を強調して操作パネル４の表示部４２にモード設定画面を表示する。
【００７７】
なお、図８では、設定値が予め設定されている回数以上に変更されているモード設定項目を強調したが、図９のフローチャートで示すように、設定値が予め規定されている割合以上に変更されているモード設定項目を強調しても良い。
【００７８】
図９において、ステツプＳ４１では、プログラムジョブ開始後のモード設定済みの複数の原稿束についてのジョブのモード設定の一覧を取得する。
【００７９】
ステップＳ４２では、取得した全てのモード設定の一覧を比較し、設定値が予め設定されている割合以上に変更されているモード設定項目があるかどうかを判断する。なければ（ステップＳ３２４ＮＯ）、ステップＳ４３に進み、いずれのモード設定項目も強調表示することなく、例えば直前のジョブと同じ設定値を有するモード設定画面を操作パネル４の表示部４２に表示する。
【００８０】
設定値が予め設定されている割合以上に変更されているモード設定項目があれば（ステップＳ４２でＹＥＳ）、ステップＳ４４で、その変更実績のあるモード設定項目について、設定値を強調して操作パネル４の表示部４２にモード設定画面を表示する。
【００８１】
このように、設定値が予め規定されている回数以上あるいは割合以上に変更されているモード設定項目のみを強調してモード設定画面を表示することで、ユーザは強調表示されたモード設定項目については、何回も設定値が変更されていることを容易に認識することができる。
【００８２】
ところで、前記プログラムジョブにおけるモード設定画面を表示する場合、複数のモード設定項目のうち、強調表示するモード設定項目のみを画面に表示し、強調しないモード設定項目を別の画面に表示するようにしてもよい。
【００８３】
例えば、図１０（Ａ）に示す二つ前の原稿束についてのジョブのモード設定一覧９０１と、図１０（Ｂ）に示す一つ前の原稿束についてのジョブのモード設定一覧９０２の差異を比較し、設定値が変更されているモード設定項目を強調表示する場合、設定値が変更されたモード設定項目である「カラー」９０１１，９０２１と「原稿画質」９０２１，９０２２については、図１０（Ｃ）に示すように、モード設定項目「カラー」９０３１と「原稿画質」９０３２及びそれらの設定値を強調表示して、モード設定画面９０３を表示する。
【００８４】
そして、設定値が変更されていない他のモード設定項目については、図１０（Ｃ）のモード設定画面９０３中に、「他モード設定」キー９０３３を配置しておき、この「他モード設定」キー９０３３を押下すると、設定値が変更されていない他のモード設定項目を示すモード設定画面９０４が表示され、このモード設定画面９０４において、前記他のモード設定項目の設定値を設定できるものとなされている。
【００８５】
このような構成により、ユーザは変更等がなされたモード設定項目のみを一目で認識でき、現在のジョブのモード設定を容易に且つ速やかに行うことができる。
【００８６】
また、前記プログラムジョブ機能による各ジョブのモード設定内容の差異を強調し、一覧性をさらに高める手段として、アコーディオン表示形式と強調表示とを組み合わせるようにしてもよい。
【００８７】
例えば、図１１（Ａ）に示す二つ前の原稿束についてのジョブのモード設定一覧１００１と、図１１（Ｂ）に示す一つ前の原稿束についてのジョブのモード設定一覧１００２の差異を比較し、設定値が変更されているモード設定項目を強調表示する場合、図１１（Ｃ）に示すように、各モード設定項目を選択キーとしたアコーディオン形式にてモード設定画面１００３を表示するとともに、設定値が変更されたモード設定項目である「カラー」と「原稿画質」については、強調して表示する。
【００８８】
ユーザが例えばモード設定項目「カラー」キー１００３１を押下すると、図１１（Ｄ）のモード設定画面１００４に示すように、モード設定項目「カラー」のアコーディオンが開いた状態となって「ブラック」「カラー」の各設定値キーが表示され、設定値の変更等が可能となる。また、モード設定項目「集約」キー１００３２を押下すると、図１１（Ｅ）のモード設定画面１００５に示すように、モード設定項目「集約」のアコーディオンが開いた状態となって「しない」「２ｉｎ１」の各設定値キーが表示され、設定値の変更等が可能となる。なお、斜線を付した設定キーは現在選択されている設定キーを示す。
【００８９】
このように、モード設定項目がアコーディオン表示方式で表示されるので、変更等がなされたモード設定項目の認識が容易になり、かつ画面遷移を伴わずにモード設定が可能となる。
【００９０】
また、強調表示されるモード設定項目については、予めアコーディオンを開いておくようにしてもよい。
【００９１】
例えば、例えば、図１２（Ａ）に示す二つ前の原稿束についてのジョブのモード設定一覧１１０１と、図１２（Ｂ）に示す一つ前の原稿束についてのジョブのモード設定一覧１１０２の差異を比較し、設定値が変更されているモード設定項目を強調表示する場合、図１２（Ｃ）に示すように、各モード設定項目をアコーディオン形式にてモード設定画面１１０３を表示するとともに、設定値が変更されたモード設定項目である「カラー」１１０３１と「原稿画質」１１０３２については、強調表示を行いかつアコーディオンを開いた状態にして、「ブラック」「カラー」の各設定値キー、あるいは「文字」「写真」の各設定値キーが表示された状態とする。なお、斜線を付した設定キーは現在選択されている設定キーを示す。
【００９２】
このように、強調されるモード設定項目についてはアコーディオンを開いた状態で表示されるので、既に設定済みのモード設定において変更等がなされたモード設定項目の認識が容易になる上、アコーディオンを開く手間も要らずにモード設定をスムーズに行うことができる。
【００９３】
以上、本発明の一実施形態を説明したが、本発明は上記実施形態に限定されることはない。
【００９４】
例えば、モード設定項目と設定値のいずれをも強調表示する構成としたが、モード設定項目のみを強調表示しても良いし、設定値のみを強調することでモード設定項目を強調しても良い。
【符号の説明】
【００９５】
４      操作パネル
４１    操作部
４２    表示部
７      制御部
８      ＲＯＭ
１１    モード保持部
１２    ジョブ設定表示部
１３    表示モード設定選択部
【図１】
0005879785.tif 000002
【図２】
0005879785.tif 000003
【図３】
0005879785.tif 000004
【図４】
0005879785.tif 000005
【図５】
0005879785.tif 000006
【図６】
0005879785.tif 000007
【図７】
0005879785.tif 000008
【図８】
0005879785.tif 000009
【図９】
0005879785.tif 000010
【図１０】
0005879785.tif 000011
【図１１】
0005879785.tif 000012
【図１２】
0005879785.tif 000013